(57)【要約】      （修正有）【課題】フィルム検出用センサとＤＸコード検出用センサを共用するとともに、電気的に発光色を切り換えて使用し、組立作業や部品管理をシンプルにすること。【解決手段】本発明の写真処理装置では、フィルム検出用センサとＤＸコード検出用センサを共用する検出センサの発光手段として２色発光ダイオード１８を用いるとともに、発光色を緑色と赤色とに切り換える発光色切り換え手段と、受光手段１９から出力される信号を増幅し得る可変利得増幅手段と、その利得を高利得と低利得とに切り換え制御する利得切り換え手段を備え、制御手段によって、前記可変利得増幅手段から出力される信号に基づいてフィルムの有無とＤＸコードの読み取りとを行うように構成した。【選択図】図３
2004212509.tif 000002
【特許請求の範囲】
【請求項１】
光学的な濃淡パターンによってＤＸコードが記録された写真フィルムを搬送路に沿って搬送して処理する写真処理装置において、
単一の部品であって、且つ少なくとも緑色と赤色の光を切り換え発光し得る発光手段を、前記搬送路を搬送される写真フィルムに記録されたＤＸコード部分に光を照射し得る位置に配設し、
前記発光手段から発光されて前記写真フィルムを通過した光を受光する受光手段を、前記発光手段に対峙させて配設するとともに、
前記受光手段から出力される信号に基づいてフィルムの有無とＤＸコードの読み取りを行う制御手段を設けたことを特徴とする写真処理装置。
【請求項２】
前記発光手段は、２色発光ダイオードとしたことを特徴とする請求項１に記載の写真処理装置。
【請求項３】
前記発光手段の発光色を緑色と赤色とに切り換える発光色切り換え手段と、
前記受光手段から出力される信号を増幅し得る可変利得増幅手段と、
前記可変利得増幅手段における利得を高利得と低利得とに切り換え制御する利得切り換え手段と、
フィルムの有無を検出するときには、前記発光色切り換え手段によって発光手段の発光色を緑色とするとともに、前記利得切り換え手段によって可変利得増幅手段の利得を高利得に切り換え、
ＤＸコードを読み取るときには、前記発光色切り換え手段によって発光手段の発光色を赤色とするとともに、前記利得切り換え手段によって可変利得増幅手段の利得を低利得に切り換える切り換え同期手段とを備え、
制御手段は、前記可変利得増幅手段から出力される信号に基づいてフィルムの有無とＤＸコードの読み取りとを行うように構成したことを特徴とする請求項１もしくは２の何れかに記載の写真処理装置。
【発明の詳細な説明】
【０００１】
【発明の属する技術分野】
本発明は、ＤＸコードが記録された写真フィルムを処理する写真処理装置に関するものである。
【０００２】
【従来の技術】
従来より、現像済みの写真フィルムを処理するスキャナ等のフィルム処理装置においては、フィルムの有無の検出とフィルムの種類の検出のために用いられる光学センサには、それぞれの検出条件に適した波長領域が卓越している光源が使用されている。即ち、それぞれ色の異なる光源を持った２種類のセンサ、フィルム検出用センサと、ＤＸコード用センサとが使用されている。
具体的には、フィルムの有無を検出するフィルム検出用センサの光源としては、ネガフィルムとポジフィルムの両方に対応するために、比較的低出力の緑色のＬＥＤ（発光ダイオード）が採用され、フィルムの入口側に配設されている。
また、フィルムの縁に形成されたＤＸコードを検出するためのＤＸコード検出用センサの光源としては、ＤＸコードの像の色とフィルムのベースの色との差が少ないため、比較的出力の高い赤色のＬＥＤが採用されている。このＤＸコード検出用センサは、前記フィルム検出用センサに続いて入口側に配設されている。
なお、スキャナの場合には、フィルムの入口側、即ち搬送路の上流側にフィルム検出用センサが１組配設され、続いて、ＤＸコード検出用センサが配設されている。さらに続いて、スキャニングゲートが形成されている。
なお、フィルムの画像を印画紙へ焼き付ける構成の写真処理装置においても、フィルム検出用センサと、ＤＸコード検出用センサとしてのバーコードセンサとを備えている。（例えば、特許文献１参照）
【０００３】
【特許文献１】
特開平４−３５０６４０号公報（第７頁：段落００６６〜００６８）
【０００４】
【発明が解決しようとする課題】
ところが、上述したような従来の写真処理装置は、フィルム検出用センサとＤＸコード検出用センサの２つの異なる特性の光学センサが必要であるため、組立作業の煩雑化や部品管理の煩雑化の問題があった。
【０００５】
そこで、本発明は、２色発光のＬＥＤを使用し、フィルム検出用センサとＤＸコード検出用センサを共用して、電気的に発光色を切り換えて使用し、組立作業や部品管理をシンプルにすることを目的としてなされたものである。
【０００６】
【課題を解決するための手段】
本発明にかかる請求項１の写真処理装置においては、光学的な濃淡パターンによってＤＸコードが記録された写真フィルムを搬送路に沿って搬送して処理する写真処理装置において、単一の部品であって、且つ少なくとも緑色と赤色の光を切り換え発光し得る発光手段を、前記搬送路を搬送される写真フィルムに記録されたＤＸコード部分に光を照射し得る位置に配設し、前記発光手段から発光されて前記写真フィルムを通過した光を受光する受光手段を、前記発光手段に対峙させて配設するとともに、前記受光手段から出力される信号に基づいてフィルムの有無とＤＸコードの読み取りを行う制御手段を設けたことを特徴としている。
請求項２の写真処理装置では、前記発光手段は、２色発光ダイオードとした。
請求項３の写真処理装置では、前記発光手段の発光色を緑色と赤色とに切り換える発光色切り換え手段と、前記受光手段から出力される信号を増幅し得る可変利得増幅手段と、前記可変利得増幅手段における利得を高利得と低利得とに切り換え制御する利得切り換え手段と、フィルムの有無を検出するときには、前記発光色切り換え手段によって発光手段の発光色を緑色とするとともに、前記利得切り換え手段によって可変利得増幅手段の利得を高利得に切り換え、ＤＸコードを読み取るときには、前記発光色切り換え手段によって発光手段の発光色を赤色とするとともに、前記利得切り換え手段によって可変利得増幅手段の利得を低利得に切り換える切り換え同期手段とを備え、制御手段は、前記可変利得増幅手段から出力される信号に基づいてフィルムの有無とＤＸコードの読み取りとを行うように構成した。
【０００７】
本発明によれば、以上のように、単一の発光手段によって異なる発光色を得ることができるので、フィルムの有無の検出も、ＤＸコードの読み取りも可能となった。
【０００８】
【発明の実施の形態】
図１は、本発明の一つの実施形態としての写真処理装置を示したものであって、この写真処理装置は、
現像済フィルムをセットして搬送するための搬送装置が搭載されたフィルムキャリアユニット１、このフィルムキャリアユニット１にセットされた現像済フィルムの駒画像を読み取るためのスキャナ２１、ＭＯなどの記録メディアに記録した画像データを読み取るための読み取り装置２２、スキャナ２１または読み取り装置２２で読み取った画像データに主として各種の画像処理を施すための画像処理部２３を搭載した画像処理機２と、画像処理機２で処理された画像データにより、プリント用紙の一例である印画紙Ｐに画像を焼き付けるためのプリンター３と、プリンター３で画像が焼き付けられた印画紙を現像するためのプロセッサ４と、プロセッサ４で現像処理されて仕上がったプリントを仕分けるための仕分け機５とが備えられている。
【０００９】
フィルムキャリアユニット１は、フィルムを挟持するように上下二分割される構成となっており、このフィルムキャリアユニット１内には、図２にも示すように、ＡＰＳフィルムＦと１３５フィルムに対応した２つのフィルム搬送路１０ａ・１０ｂが形成されており、これらフィルム搬送路１０ａ・１０ｂの途中には、光源からの光を通過させるスキャニングゲート１１ａ・１１ｂが形成されている。
そして各搬送経路１０ａ・１０ｂには、ＡＰＳフィルムＦ若しくは１３５フィルムを搬送するための複数の搬送ローラ１２０ａ・１２０ｂを備えた搬送装置１２ａ・１２ｂが設けられ、この搬送装置１２ａ・１２ｂを介してＡＰＳフィルムＦ若しくは１３５フィルムを搬送しながら、駒画像のスキャニングが行なえるようにしている。
ＡＰＳフィルムＦのフィルム搬送路１０ａの始端側には、ＡＰＳフィルムＦが装填されたカートリッジＣを装着するためのカートリッジ装着部１３が設けられ、フィルム搬送路１０ａの終端側には、カートリッジＣから引き出されたＡＰＳフィルムＦを巻き取るための巻取り部１４が設けられている。
また、ＡＰＳフィルムＦのフィルム搬送路１０ａの途中でスキャニングゲート１１ａよりも上流側には、ＡＰＳフィルムＦの先端の検出並びにＡＰＳフィルムＦの基端部に設けられたエンドパーフォレーションＥＰを検出するためのセンサと、ＡＰＳフィルムＦに付されたバーコードＢを読み取るためのセンサとを兼ねる検出センサー１５が設けられている。
また、ＡＰＳフィルムＦのフィルム搬送路１０ａの途中でスキャニングゲート１１ａよりも下流側には、ＡＰＳフィルムＦの駒画像Ｄ毎に設けられているパーフォレーションを検出するためのパーフォレーションセンサ１７が設けられている。
前記検出センサ１５は、図３に示したように、単一の２色発光ダイオード１８と、搬送されるＡＰＳフィルムＦを挟んで対峙して配設された受光センサ１９とから構成されている。
前記２色発光ダイオード１８と受光センサ１９は、図示したように、フィルムの縁に形成されているＤＸコードの位置に対応した位置、即ち、フィルム搬送路の長手方向の側縁近傍に配設されている。
【００１０】
画像処理機２に搭載されているスキャナ２１は、現像済フィルムをフィルムキャリアユニット１にセットすることにより、光源ユニット２０からの光を、ゲート１１ａ・１１ｂを介してフィルムに照射して、フィルムの各駒画像Ｄを順次読み取って画像処理部２３に出力するようにしている。
また画像処理部２３では、スキャナ２１または読み取り装置２２で読み取られた画像データに各種画像処理を施すようにしている。
画像処理部２３は、画像処理ソフトウエア等がインストールされたコンピュータから成るメインコントローラ２４と、メインコントローラ２４に各種情報を入力するためのキーボード２５ａ及びマウス２５ｂと、各種情報を表示するためのモニター２６とから構成されている。
【００１１】
そしてスキャナ２１若しくは読み取り装置２２により読み取られた画像データは、所定の処理プログラムとキーボード２５ａまたはマウス２５ｂにより入力されるプリントサイズなどの各種情報に基づいてメインコントローラ２４により適宜処理された後、順次プリントデータとしてプリンター３に搭載したサブコントローラ３０に出力するようにしている。
【００１２】
またメインコントローラ２４のプログラムによって、後述するフィルムの有無の検出処理と、ＤＸコードの読み取り処理とを行う機能が実現されている。
また、前記検出センサ１５の読取結果に基づき、搬送されるＡＰＳフィルムＦが最終の駒画像まで引き出されたことを確認したときには、フィルムキャリアユニット１の搬送装置１２ａによるＡＰＳフィルムＦの引き出しを停止させた後、本スキャン作業に移るべくフィルムをカートリッジに巻き戻すように制御する。
【００１３】
プリンター３は、画像処理機２の画像処理部２３で作成されたプリントデータを印画紙Ｐに焼き付けるためのものであり、画像処理部２３から出力されたプリントデータなどを入力するためのサブコントローラ３０と、ロール状に巻かれた印画紙を充填した２台のペーパーマガジン３１ａ・３１ｂと、ペーパーマガジン３１ａ・３１ｂから送り出される印画紙Ｐを搬送するための搬送機構３２と、搬送機構３２で搬送される印画紙Ｐにサブコントローラ３０を介して画像データを露光するための露光機構３３とが搭載されている。
そしてプリンター３では、メインコントローラ２４から出力されるプリントデータがサブコントローラ３０に入力されるに伴い、このサブコントローラ３０で、入力されるプリントデータに基づいて露光用データが生成されて、露光機構３３に出力されるようにしている。
【００１４】
尚、露光機構３３の方式としては、ＰＬＺＴシャッター方式やレーザービーム方式、液晶シャッター方式、蛍光ビーム方式等が知られており、仕様に応じて任意の方式を採択することが出来る。
【００１５】
プロセッサ４は、プリンター３で画像が焼き付け処理された印画紙Ｐを現像処理するための現像処理機構４１と、現像処理機構４１で現像処理された印画紙を乾燥するための乾燥処理機構４２と、乾燥処理された印画紙Ｐを排出するためのプリント排出機構４３と、このプリント排出機構４３から排出された印画紙Ｐを後記する仕分け部５に向けて搬送するための搬送コンベヤとを備えて成り、搬送コンベヤの下流側に仕分け部５を配置し、搬送コンベヤにより搬送されて来た印画紙Ｐを仕分け部５により例えばオーダー毎に仕分けするようにしている。
【００１６】
次に、前記２色発光ダイオード１８と受光センサ１９の処理回路を、図３を参照して説明する。
まず、発光手段としての２色発光ダイオード１８には、赤色発光用のチップ１８１ｒと、緑色発光用のチップ１８１ｇとが封入されており、それらのカソードはまとめられて一本のカソードリード線１８２で外部へ取り出されており、赤色発光用のチップ１８１ｒのアノードは赤用アノードリード線１８３ｒで外部へ取り出されており、緑色発光用のチップ１８１ｇのアノードは緑用アノードリード線１８３ｇで外部へ取り出されている。
ＣＰＵは、前記メインコントローラ２４の一部を構成する制御手段である。
【００１７】
前記赤用アノードリード線１８３ｒは、前記ＣＰＵの出力ポートに接続されて、前記緑用アノードリード線１８３ｇは、インバータ回路１８４を介して前記ＣＰＵの出力ポートに接続されている。
制御信号Ｃは、赤色発光を指令するときに例えばハイレベルとなり、緑色発光を指令するときに例えばローレベルとなるデジタル信号である。
【００１８】
従って、前記制御信号Ｃが、赤色発光を指令するハイレベルの場合のときには、赤用アノードリード線１８３ｒに直流電圧が印加されるが、インバータ回路１８４からは前記制御信号Ｃが反転されてローレベルとなって出力されるので、緑用アノードリード線１８３ｇには直流電圧は印加されない。
【００１９】
従って、ＣＰＵから赤色発光を指令する制御信号Ｃ（ハイレベル）が出力されるときにだけ赤用アノードリード線１８３ｒに直流電圧が印加されて赤色用のチップ１８１ｒから赤色光が発光される。そして、ＣＰＵから緑色発光を指令する制御信号Ｃ（ローレベル）が出力されるときにだけ緑用アノードリード線１８３ｇに直流電圧が印加されて緑色用のチップ１８１ｇから緑色光が発光される。
以上の構成においては、インバータ回路１８４はＣＰＵと協働して発光色切り換え手段を構成している。
【００２０】
次に、受光手段としての受光センサ１９は、前記２色発光ダイオード１８から照射される光がフィルムを透過して受光され得る位置に１個配設されており、少なくとも赤色と緑色に関して充分な感度を有するフォトトランジスタ等で構成されている。
前記受光センサ１９の出力は、可変利得増幅手段としての増幅回路１９４で所定のレベルに増幅され、波形整形回路１９５で所定のしきい値と比較されてデジタル信号に変換されてＣＰＵに入力される。
前記増幅回路１９４の利得は、前記ＣＰＵから出力される制御信号Ｃによって、利得切り換え手段としての利得切り換え回路１９６によって予め設定された緑色用の高利得と、赤色用の低利得とに切り換え可能である。例えば、前記２色発光ダイオード１８の発光色が前述した条件で発光するとき、前記制御信号Ｃがハイレベルの場合に増幅回路１９４の利得を低利得に切り換え、ローレベルのときに高利得に切り換えるように作動する。
【００２１】
以上の回路構成によって、ＣＰＵから出力される制御信号Ｃがハイレベルである場合には、２色発光ダイオード１８は赤色で発光して前記増幅回路１９４は低利得で作動し、制御信号Ｃがローレベルである場合には、２色発光ダイオード１８は緑色で発光して前記増幅回路１９４は高利得で作動する。
従って、フィルムの有無を検出する場合には、ＣＰＵからローレベルの制御信号Ｃを出力することによって、２色発光ダイオード１８を緑色で発光させるとともに、前記増幅回路１９４を高利得で作動させて、フィルムの先端を検出することができ、ＤＸコードを検出する場合には、ＣＰＵからハイレベルの制御信号Ｃを出力することによって、２色発光ダイオード１８を赤色で発光させるとともに、前記増幅回路１９４を低利得で作動させて、フィルムに記録されたＤＸコードを検出することができるのである。
なお、前記ＣＰＵから出力される制御信号Ｃがインバータ回路１８４の入力側に接続されているとともに、前記利得切り換え回路１９６に入力されている構成によって、切り換え同期手段が構成されている。
【００２２】
なお、以上においては、緑色を発光させてフィルムの有無を検出する場合に増幅回路の利得を高くするように制御する場合を例にとって説明したが、これは、以上の説明例に限定されるものではなく、発光ダイオードの特性と、フィルムのベース部分の光透過特性と、フィルムに記録されているＤＸコードの光透過特性と、受光センサの特性の組み合わせに応じて、それぞれの条件に最適な種々の条件で制御することや、同じ利得で処理することも可能である。
また、以上においては、インバータ回路で緑色の発光と赤色の発光を択一的に切り換える構成例を示して説明したが、両方とも発光しない状態を設けるように制御してもよい。
【００２３】
次に、以上の回路構成を用いた制御手順を、主に図４のフローチャートに従って説明する。
図４のステップＳ１においては、
ＣＰＵからローレベルの制御信号Ｃを出力することによって、２色発光ダイオード１８を緑色で発光させて、ステップＳ２においては、フィルムの先端を検出可能な状態にして待機する。この状態においては、２色発光ダイオード１８から緑色の光が受光センサ１９へ向けて発光されている。そして、フィルムが搬送されてくるまでは、前記緑色の光は受光センサ１９で受光されるので、受光センサ１９からの出力は増幅回路１９４に入力される。この状態では、ＣＰＵからローレベルの制御信号Ｃが出力されているので、利得切り換え回路１９６は高利得に切り換えられている。従って、受光センサ１９から出力される微弱な検出信号は適正なレベルまで増幅されて波形整形回路１９５に入力される。そして、波形整形回路１９５においては所定のしきい値と比較されてハイレベルのデジタル信号が、ＣＰＵの入力ポートへ向けて出力される。ＣＰＵにおいては、前記入力ポートにハイレベルの信号が入力されている場合にはフィルムが無いと判断し、ステップＳ２を繰り返す。
【００２４】
以上のような待機状態においてフィルムが搬送されて、２色発光ダイオード１８から受光センサ１９へ向けて発光されている緑色の光が遮断されると、増幅回路１９４から出力される信号は、波形整形回路１９５において設定されているしきい値未満となるので、波形整形回路１９５から出力されるデジタル信号はローレベルとなってＣＰＵの入力ポートへ向けて出力される。ＣＰＵにおいては、前記入力ポートにローレベルの信号が入力されている場合にはフィルムが有ると判断し、ステップＳ３へ進む。
【００２５】
ステップＳ３においては、ＣＰＵは制御信号Ｃをローレベルからハイレベルに切り換えて、２色発光ダイオード１８から赤色が発光されるように制御するとともに、利得切り換え回路１９６によって増幅回路１９４の利得を低利得に切り換えて、ＤＸコードのパターンを検出可能な状態に切り換えて、ステップＳ４に進む。
【００２６】
ステップＳ４においては、ＤＸコードの濃淡のパターンに基づいて受光センサ１９にて検出される光量の変化を増幅し、波形整形回路１９５でデジタル信号に変換して、ＣＰＵの入力ポートへ向けて出力する。
【００２７】
ステップＳ５においては、ＣＰＵは、得られたデジタル信号のパルス列をソフトウェア処理によって解析して読み取る。
このようにして読み取られたＤＸコードに基づいて、適正な露光条件を得てスキャナを作動させるとともに、各コマ番号等のコマ情報を得て、各コマの画像とともにディスプレイ装置に表示する。
【００２８】
そして、ステップＳ６において、フィルムの最後に対応したＤＸコードを検出するとステップＳ７に進んで、フィルムの後端を検出するために、ＣＰＵは制御信号Ｃをハイレベルからローレベルに切り換えて、２色発光ダイオード１４から緑色が発光されるように制御する。
【００２９】
以上のようにして、単一の２色発光ダイオード１８から発光される光の色を、緑色と赤色とに切り換え制御するとともに、単一の受光センサ１９で受光して得られた信号を適正なレベルに増幅してデジタル信号に変換することによって、ＣＰＵとソフトウェア処理によって、フィルムの有無の検出とＤＸコードの読み取りという２つの処理を行うことができるのである。
従って、従来はフィルムの有無を検出するための発光ダイオードと、ＤＸコードを読み取るための発光ダイオードと、それらの発光ダイオードに対応した受光センサとを要していたのに対して、上記構成によれば、２つの発光ダイオードの代りに単一の２色発光ダイオードを配設し、受光センサも１つ配設するだけでよくなったので、フィルムキャリアの構成をシンプルにすることができる。
そのため、フィルムキャリアの組立・調整の手間が改善されるとともに、コストも節減できるという効果が得られるのである。
【００３０】
【発明の効果】
本発明によれば、単一の発光手段によって異なる発光色を得ることができるので、フィルムの有無の検出も、ＤＸコードの読み取りも可能となった。
従って、フィルム検出用センサとＤＸコード検出用センサの２つの異なる特性の光学センサが不要となるので、組立・調整作業や部品管理業務が簡略化されるという改善効果が得られる。
【図面の簡単な説明】
【図１】本発明にかかる写真処理装置の実施の形態の構成を示した構成図である。
【図２】フィルムキャリアユニットの平面図である。
【図３】検出センサ回りのブロック図である。
【図４】制御プログラムの要部のフローチャートである。
【符号の説明】
１５  検出センサ
１８  ２色発光ダイオード、発光手段
１９  受光センサ、受光手段
１８４  インバータ回路、発光色切り換え手段
１９４  増幅回路、可変利得増幅手段
１９６  利得切り換え回路、利得切り換え手段
ＣＰＵ  制御手段、発光色切り換え手段
ＣＰＵ、１８４、１９６  切り換え同期手段
【図１】
2004212509.tif 000003
【図２】
2004212509.tif 000004
【図３】
2004212509.tif 000005
【図４】
2004212509.tif 000006